(57)【要約】【課題】複数構成部材の位置決め及び調整が容易であり、かつより簡素な構成を有する表示装置を提供する。【解決手段】光学シートの縁部を覆うパネルシャーシと、表示パネルの縁部及び前記パネルシャーシを覆うベゼルと、前記ベゼルを部分的に覆うフレームとを備える表示装置において、前記パネルシャーシに覆われ、前記パネルシャーシ、前記ベゼル及び前記フレームを共に固定する固定部材３を備える。【選択図】図３
2019144305.tif 000002
【特許請求の範囲】
【請求項１】
光学シートの縁部を覆う第１枠体と、表示パネルの縁部及び前記第１枠体を覆うベゼルと、前記ベゼルを部分的に覆う第２枠体とを備える表示装置において、
前記第１枠体に覆われ、前記第１枠体、前記ベゼル及び前記第２枠体を共に固定する固定部材を備えることを特徴とする表示装置。
【請求項２】
光を前記光学シート側に反射する反射シートの縁部を支持する第３枠体を備え、
前記固定部材は、前記第３枠体の縁部に係合する係合部を有することを特徴とする請求項１に記載の表示装置。
【請求項３】
前記固定部材の前記係合部は、前記第３枠体との係合のための突起を有し、
前記第３枠体は前記突起に対応する凹部を有することを特徴とする請求項２に記載の表示装置。
【請求項４】
前記反射シートは縁部に貫通孔を有しており、
前記固定部材は、前記反射シートの前記貫通孔に対応する第１突出部を有することを特徴とする請求項２又は３に記載の表示装置。
【請求項５】
前記第２枠体は、
前記表示パネルの縁部と対向する扁平部を有し、
前記扁平部は第１貫通孔を有し、
前記固定部材は前記扁平部の前記第１貫通孔に対応する第２突出部を有することを特徴とする請求項１から４の何れか一つに記載の表示装置。
【請求項６】
前記第１枠体は前記光学シートの側面と対向する対向板部を有し、
前記ベゼルは前記第１枠体の前記対向板部を覆うカバー板部を有しており、
前記固定部材は前記第１枠体の前記対向板部と対向する固定板部を有し、
前記固定板部は前記第１枠体の前記対向板部及び前記ベゼルのカバー板部を固定するための第１固定孔を有し、
前記第１枠体の前記対向板部及び前記ベゼルのカバー板部は前記第１固定孔に対応する固定貫通孔を有することを特徴とする請求項１から５の何れか一つに記載の表示装置。
【請求項７】
前記第１枠体は、前記表示パネルの縁部及び前記光学シートの縁部の間に介在する介在板部を有し、
前記固定部材は、前記固定板部の端部に、前記第１枠体の前記介在板部が載置される載置部を有することを特徴とする請求項６に記載の表示装置。
【請求項８】
前記固定部材は前記第２枠体の前記扁平部と対向する平面部を有し、
前記固定部材の前記平面部は前記第２枠体の前記扁平部を固定するための第２固定孔を有し、
前記第２枠体の前記扁平部は前記第２固定孔に対応する第２貫通孔を有することを特徴とする請求項５に記載の表示装置。
【請求項９】
前記固定部材は弾性を有することを特徴とする請求項１から８の何れか一つに記載の表示装置。
【請求項１０】
請求項１から請求項９のいずれか一つに記載の表示装置と、
テレビジョン放送を受信する受信部とを備え、
前記受信部で受信したテレビジョン放送に基づいて前記表示パネルに画像を表示するようにしてあることを特徴とするテレビジョン受像機。
【発明の詳細な説明】
【技術分野】
【０００１】
本発明は、表示装置及びテレビジョン受像機に関する。
【背景技術】
【０００２】
近年、画像を表示する表示装置として、液晶表示装置が広く普及している。液晶表示装置は、表示パネルを保持するパネルシャーシ、該パネルシャーシを覆うベゼル、光源を収容するバックライトシャーシ等の構成部材を備えている。
【０００３】
例えば、特許文献１の表示装置においては、湾曲状態の矩形の表示パネルと、表示パネルが取り付けられた湾曲状のシャーシと、表示パネルの湾曲する湾曲辺に沿って延在する湾曲状の長辺ベゼルとを備え、長辺ベゼルは、シャーシの端部及び表示パネルの湾曲辺の端部を挟み込む挟み込み部を有し、該挟み込み部は、表示パネルの湾曲辺に沿って離散的に複数設けられていることについて開示されている。
【先行技術文献】
【特許文献】
【０００４】
【特許文献１】特開２０１５−２１９３８７号公報
【発明の概要】
【発明が解決しようとする課題】
【０００５】
一方、上述した表示装置においては、パネルシャーシ、ベゼル、バックライトシャーシ等の構成部材を固定するための固定機構を夫々設けており、これによって構成部材の構成が複雑になっている。また、表示装置の組み立て時に位置ズレなどが発生した場合も、構成部材毎に調整を行う必要があり、煩わしい。
しかしながら、上述したような従来の表示装置は、このような問題を解決できない。
【０００６】
本発明は、斯かる事情に鑑みてなされたものであり、その目的とするところは、光学シートの端部を覆う第１枠体と、表示パネルの端部及び前記第１枠体を覆うベゼルと、前記ベゼルを部分的に覆う第２枠体とを備える表示装置において、これら部材の位置決め及び調整が容易であり、かつ、より簡素な構成を有する表示装置及びテレビジョン受像機を提供することにある。
【課題を解決するための手段】
【０００７】
本発明に係る表示装置は、光学シートの縁部を覆う第１枠体と、表示パネルの縁部及び前記第１枠体を覆うベゼルと、前記ベゼルを部分的に覆う第２枠体とを備える表示装置において、前記第１枠体に覆われ、前記第１枠体、前記ベゼル及び前記第２枠体を共に固定する固定部材を備えることを特徴とする。
【０００８】
本発明にあっては、前記第１枠体、前記ベゼル及び前記第２枠体が前記固定部材によって共に固定される。
【発明の効果】
【０００９】
本発明によれば、前記第１枠体、前記ベゼル及び前記第２枠体の位置決め及び調整が容易であり、かつより簡素な構成を有する表示装置及びテレビジョン受像機を提供できる。
【図面の簡単な説明】
【００１０】
【図１】本実施の形態に係るテレビジョン受像機を略示する斜視図である。
【図２】図１のI‐I線による本実施の形態に係るテレビジョン受像機の部分横断面図である。
【図３】本実施の形態に係るテレビジョン受像機における固定部材の斜視図である。
【図４】本実施の形態に係るテレビジョン受像機において、固定部材の取り付け状態を示す図である。
【図５】図４における、固定部材とバックライトシャーシとの係合状態を説明する説明図である。
【図６】本実施の形態に係るテレビジョン受像機において、固定部材にフレームが固定された状態を示す図である。
【図７】図５におけるII‐II線による本実施の形態に係るテレビジョン受像機の部分横断面図である。
【図８】図５におけるIII‐III線による本実施の形態に係るテレビジョン受像機の部分横断面図である。
【図９】図５におけるIV‐IV線による本実施の形態に係るテレビジョン受像機の部分横断面図である。
【発明を実施するための形態】
【００１１】
以下に、本発明の実施の形態に係る表示装置を、いわゆるテレビジョン受像機に適用した場合を例として、図面に基づいて詳述する。
図１は、本実施の形態に係るテレビジョン受像機を略示する斜視図である。図１中、符号１は本実施の形態に係るテレビジョン受像機を示す。
【００１２】
テレビジョン受像機１は受信部４０及び信号処理部５０を備えている。受信部４０は図示しないアンテナに接続され、該アンテナを介してテレビジョン放送を受信する。信号処理部５０は、受信部４０が受信したテレビジョン放送に係るデータを復調し、復調したデータから画像データを分離し、分離した画像データを出力する。テレビジョン受像機１は、前記画像データに基づく画像を表示する表示パネル２を備えている。表示パネル２は例えば液晶パネルである。
【００１３】
表示パネル２は矩形板状をなしており、表示パネル２の縁部がベゼル５によって覆われている。また、テレビジョン受像機１は中空矩形の枠体であるフレーム６を備えており、フレーム６はベゼル５の外側を取り囲んでいる。
また、表示パネル２において、画像が表示される表示面と反対側の背面側は後述する背面カバー１３によって覆われている。
【００１４】
テレビジョン受像機１は脚１００を備えている。テレビジョン受像機１は、脚１００で支えられて平坦な台上に載置され、表示パネル２の前記表示面を縦姿勢に保って使用される。
【００１５】
以下の説明では、テレビジョン受像機１において、表示パネル２側を表、背面カバー１３側を裏とする。また、以下の説明において使用する上、下は、上述した使用状態での上、下に対応し、同じく左、右は、上述した使用状態において前側から見て左、右に対応する。
【００１６】
図２は、図１のI‐I線による本実施の形態に係るテレビジョン受像機１の部分横断面図である。
本実施の形態に係るテレビジョン受像機１は、図示するように、前側に映像を表示する表示パネル２を備えている。また、表示パネル２の裏側には光学シート７と、拡散板８と、反射シート９とが斯かる順に設けられている。
【００１７】
表裏方向において、表示パネル２の前記表示面と反対側の裏面は、光学シート７の表面と対向しており、該表面と反対側の光学シート７の裏面は拡散板８の表面と対向しており、該表面と反対側の拡散板８の裏面は、反射シート９と対向するように配置されている。
【００１８】
また、テレビジョン受像機１は表示パネル２を保持するパネルシャーシ４（第１枠体）を備えている。パネルシャーシ４は、光学シート７及び拡散板８の縁部を覆い、後述する固定部材３を更に覆う。パネルシャーシ４は、一部が表示パネル２の縁部及び光学シート７の縁部の間に介在している。
【００１９】
また、テレビジョン受像機１はバックライトシャーシ１０（第３枠体）を備えており、バックライトシャーシ１０は、光源（図示せず）及び反射シート９を収容している。バックライトシャーシ１０の裏側には、裏側からバックライトシャーシ１０を覆う背面カバー１３が設けられている。
【００２０】
表示パネル２の前記表示面の縁部は、ベゼル５によって覆われている。ベゼル５は、図２の横断面視Ｌ字形状をなす、中空矩形の枠体である。ベゼル５は、表示パネル２の前記表示面の縁部を覆う表側板部５２と、表側板部５２に連設され、裏に向けて表裏方向に延びるカバー板部５１とを有する。カバー板部５１は、後述するパネルシャーシ４の対向板部４１を覆う。
【００２１】
パネルシャーシ４は、ベゼル５と同様、図２の横断面視Ｌ字形状をなす、中空矩形の枠体である。パネルシャーシ４は、表示パネル２の縁部及び光学シート７の縁部の間に介在する介在板部４２を備える。また、パネルシャーシ４は、光学シート７の側面（又は拡散板８の側面）に沿って設けられ、光学シート７の側面（又は拡散板８の側面）と対向する対向板部４１を備える。対向板部４１はベゼル５のカバー板部５１と対向する。介在板部４２は例えばクッションを介して表示パネル２の縁部を支持する。
【００２２】
パネルシャーシ４において、介在板部４２の裏面は光学シート７の表面の縁部と接している。
光学シート７は、前記光源から発せられ、拡散板８を介して入る光に対して拡散、集光等を行ない、より均一な光を表示パネル２に向けて出射させる、公知のものである。例えば、光学シート７は、重ね合わせた３枚の単位シートを有する。より詳しくは、光学シート７は２枚の拡散シートと、１枚のプリズムシートとを有しており、該プリズムシートは２枚の拡散シートの間に配置されている。プリズムシート及び拡散シートは同じ矩形であり、略同一の形状及び面積を有している。
【００２３】
光学シート７の裏面側には矩形の拡散板８が設けられており、拡散板８の前記表面と光学シート７の前記裏面とが接するように配置されている。拡散板８は前記光源から出射され、前記裏面から入射される光を拡散させて光学シート７に向けて出射させる。
【００２４】
拡散板８は、例えば、アクリル樹脂、ポリカーボネート樹脂等の透明樹脂に拡散剤が添加された乳白色の樹脂からなる。前記光源としてＬＥＤのような点光源を使用した場合、拡散板８は各点光源からの光を拡散させて光学シート７に向けて均一に出射させる。光学シート７と拡散板８とは略等しい大きさである。
【００２５】
パネルシャーシ４の内側であって、光学シート７の側面及び拡散板８の側面の近傍には固定部材３が配置されている。固定部材３は、バックライトシャーシ１０の縁板部１１に取り付けられている。
【００２６】
固定部材３は、ベゼル５及びパネルシャーシ４を固定するための固定板部３９を有しており、固定板部３９は、パネルシャーシ４の対向板部４１と対向している。固定部材３は、フレーム６を固定する当接板部３８（平面部）を更に有している。
また、固定部材３は長手方向の寸法が、バックライトシャーシ１０の縁板部１１より短く、バックライトシャーシ１０の各縁板部１１に少なくとも一つずつ取り付けられている。固定部材３は、バックライトシャーシ１０の縁板部１１との係合を行うクリップ形状の係合部３１を更に有し、係合部３１を用いてバックライトシャーシ１０の縁板部１１に取り付けられる。固定部材３の詳しい形状については後で説明する。
【００２７】
拡散板８の前記裏面と対向する反射シート９は矩形の皿形状をなしており、矩形状をなす底（図示せず）と、前記底の周縁から拡散板８を向けて斜めに延びる傾斜部９２と、傾斜部９２の端縁から、拡散板８の前記裏面と略平行に張り出した縁部９１とを有する。反射シート９は、前記光源からの光を拡散板８及び光学シート７側に反射する。
反射シート９の縁部９１は、固定部材３の係合部３１と拡散板８の縁部との間に介在している。即ち、反射シート９の縁部９１は、固定部材３の係合部３１及び拡散板８の縁部によって挟持されている。
【００２８】
バックライトシャーシ１０は、例えば金属板からなり、拡散板８側が開放されたケース形状をなす。反射シート９及び前記光源はバックライトシャーシ１０に収容されている。
バックライトシャーシ１０は、前記光源が設けられる矩形状の底板部（図示せず）と、該底板部の周縁から拡散板８を向けて斜めに延びる傾斜板部１２と、及び傾斜板部１２の端から、外側に、拡散板８の前記裏面と略平行をなして張り出す縁板部１１とを有する。
【００２９】
フレーム６は、例えばアルミニウムからなり、ベゼル５のカバー板部５１を取り囲む、中空矩形の枠体である。フレーム６は、ベゼル５のカバー板部５１の外側に、カバー板部５１と対向するように設けられた外壁板部６１を有している。従って、テレビジョン受像機１の上下方向、左右方向においては、ベゼル５のカバー板部５１が外壁板部６１によって覆われる。
【００３０】
外壁板部６１における裏側の端部には、外壁板部６１との交差方向に、テレビジョン受像機１の内側に延びる扁平板部６２が設けられている。換言すれば、扁平板部６２は、表示パネル２の縁部と対向している。扁平板部６２における表面には固定部材３が載置されており、扁平板部６２は裏側から背面カバー１３によって支持されている。
【００３１】
背面カバー１３はバックライトシャーシ１０に倣う形状を有しており、バックライトシャーシ１０の裏側に設けられている。背面カバー１３は、縁部がフレーム６の扁平板部６２の前記裏面と当接しており、バックライトシャーシ１０の裏面を覆うようにテレビジョン受像機１に取り付けられている。  
【００３２】
以上においては、パネルシャーシ４、ベゼル５、及びフレーム６が中空矩形の枠体として形成された場合を例に挙げて説明した。しかし、本実施の形態に係るテレビジョン受像機１はこれに限るものでなく、これらの部品が４つの部分、又は２つの部分に分割された構成であっても良い。
【００３３】
図３は、本実施の形態に係るテレビジョン受像機１における固定部材３の斜視図である。図３Ｂは、固定部材３の長手方向の回転軸を中心に、固定部材３を図３Ａの白抜き矢印方向に１８０°回転させた場合を示す。固定部材３は、例えばステンレス鋼、プラスチック等の弾性を有する材料からなる。
【００３４】
固定部材３はバックライトシャーシ１０の縁板部１１の裏面に接する当接板部３８を有しており、当接板部３８は略短冊形状をなしている。固定部材３（当接板部３８）の長手方向における一端部には、係合部３１が形成されている。
【００３５】
図４は、本実施の形態に係るテレビジョン受像機１において、固定部材３の取り付け状態を示す図である。また、図５は、図４における、固定部材３とバックライトシャーシ１０との係合状態を説明する説明図である。図５Ａは、バックライトシャーシ１０の縁板部１１に固定部材３を取り付けた状態を示しており、図５Ｂは、バックライトシャーシ１０の縁板部１１から固定部材３を取り外した状態を示している。説明の便宜上、図５Ｂにおいては、固定部材３を二点鎖線にて示している。
【００３６】
係合部３１は、当接板部３８と平行なす矩形状の平行板３１１を有し、当接板部３８の幅方向における平行板３１１の寸法は当接板部３８と略等しい。平行板３１１はバックライトシャーシ１０の縁板部１１の表面に接する。即ち、係合部３１は、当接板部３８の一部及び平行板３１１からなり、バックライトシャーシ１０の縁板部１１を外嵌する。
【００３７】
平行板３１１においては、表面に窪み３１３を形成することによって、裏面に突起３１４が形成されている。バックライトシャーシ１０の縁板部１１には、突起３１４に対応する凹部１１１が形成されている。すなわち、係合部３１がバックライトシャーシ１０の縁板部１１との係合（外嵌）を行う際、係合部３１の突起３１４とバックライトシャーシ１０の凹部１１１との係合も行われる。従って、バックライトシャーシ１０に対する、固定部材３の位置決め及び固定を適確に行うことができる。
【００３８】
また、当接板部３８において係合部３１に係る部分には、裏側突出部３１２（第２突出部）が形成されている。裏側突出部３１２は、断面視短冊状であり、当接板部３８の裏面から背面カバー１３側に突設されている。裏側突出部３１２は、当接板部３８を折り曲げて形成されているので、裏側突出部３１２の近傍には切り欠きが存在する。
【００３９】
図６は、本実施の形態に係るテレビジョン受像機１において、固定部材３にフレーム６が固定された状態を示す図である。図６においては、バックライトシャーシ１０の傾斜板部１２の裏面、及び、フレーム６の扁平板部６２の裏面が示されている。
図７は、図５におけるII‐II線による本実施の形態に係るテレビジョン受像機１の部分横断面図である。説明の便宜上、図７においては、テレビジョン受像機１において図５のII‐II線に対応する線による横断面を示している。
【００４０】
上述したように、フレーム６の扁平板部６２における表面には固定部材３が載置されるので、固定部材３の当接板部３８の裏面が扁平板部６２の前記表面と接する。扁平板部６２においては、固定部材３の取り付け済みの時に、裏側突出部３１２に対応する位置に第１貫通孔６３が形成されている。第１貫通孔６３は裏側突出部３１２に倣う短冊状を有している。
【００４１】
テレビジョン受像機１の組み立て時には、固定部材３の裏側突出部３１２がフレーム６の第１貫通孔６３と係合することによって、フレーム６が位置決めされる。以降、ネジＳを用いてフレーム６が固定部材３にネジ止めされる。従って、テレビジョン受像機１の組み立て時において、フレーム６の位置決め及び固定を適確に行うことができる。また、フレーム６を固定するために別途の機構を設ける必要もなく、部品点数を減らし、構成を簡素化できる。
【００４２】
固定部材３において、係合部３１より他端側には、表側突出部３４（第１突出部）が形成されている。表側突出部３４は、当接板部３８の前記表面から当接板部３８と交差する方向に突設されている。表側突出部３４は略Ｎ字形状をなしており、表側突出部３４の端部は平行板３１１よりも表側に延びている。
【００４３】
図８は、図５におけるIII‐III線による本実施の形態に係るテレビジョン受像機１の部分横断面図である。説明の便宜上、図８においては、テレビジョン受像機１において図５のIII‐III線に対応する線による横断面を示している。
上述したように、反射シート９の縁部９１は、固定部材３の係合部３１及び拡散板８の縁部によって挟持されている。即ち、縁部９１は係合部３１の平行板３１１の前記表面に載置されるので、縁部９１の裏面は平行板３１１の前記表面と接する。縁部９１においては、固定部材３の取り付け済みの時に、表側突出部３４に対応する位置に貫通孔９１１が形成されている。貫通孔９１１は表側突出部３４に倣う矩形状を有している。
【００４４】
テレビジョン受像機１の組み立て時には、固定部材３の表側突出部３４が反射シート９の貫通孔９１１と係合することによって、反射シート９が位置決めされる。従って、テレビジョン受像機１の組み立て時において、反射シート９の位置決め及び固定を適確に行うことができる。また、反射シート９を固定するために別途の機構を設ける必要もなく、部品点数を減らし、構成を簡素化できる。
【００４５】
固定部材３において、表側突出部３４より他端側には、ベゼル５及びパネルシャーシ４を固定するための固定板部３９が形成されている。固定板部３９は、当接板部３８の前記表面の縁から当接板部３８と交差する方向に突設されている。固定板部３９は略矩形状をなしており、長辺側が当接板部３８と連設されている。固定板部３９の中央部には、ベゼル５及びパネルシャーシ４を固定するための第１固定孔３２が形成されている。
【００４６】
図９は、図５におけるIV‐IV線による本実施の形態に係るテレビジョン受像機１の部分横断面図である。説明の便宜上、図９においては、テレビジョン受像機１において図５のIV‐IV線に対応する線による横断面を示している。図９は、本実施の形態に係るテレビジョン受像機１において、固定部材３にパネルシャーシ４及びベゼル５及びフレーム６が固定されている状態を示す。図９においては、説明の便宜上、背面カバー１３を省略している。
【００４７】
図２及び図９から分かるように、固定部材３はパネルシャーシ４によって覆われおり、パネルシャーシ４は更にベゼル５によって覆われている。パネルシャーシ４の対向板部４１は、ベゼル５のカバー板部５１と対向しており、カバー板部５１によって覆われている。また、固定部材３の固定板部３９は当接板部３８側の一部を除く略全部が、外側から、パネルシャーシ４の対向板部４１によって覆われている。更に、固体部材３の平行板３１１は表側からパネルシャーシ４の介在板部４２によって覆っている。なお、カバー板部５１は、後述するように、固定板部３９への固定が行われる箇所には、部分的に窪みを設けている。
【００４８】
すなわち、固定板部３９、対向板部４１及びカバー板部５１は、互いに対向しており、隣接し合っている。対向板部４１は、厚み方向において、固定板部３９の第１固定孔３２に対応する位置に固定貫通孔４３が形成されている。また、カバー板部５１は、厚み方向において、対向板部４１の固定貫通孔４３に対応する位置に固定貫通孔５３が形成されている。固定貫通孔４３，５３は第１固定孔３２に倣う形状を有している。
【００４９】
従って、図９に示すように、例えば、カバー板部５１の外側からネジを固定貫通孔５３，４３、に挿入させて第１固定孔３２にてネジ止めすることによって、カバー板部５１及び対向板部４１を固定板部３９に固定できる。これによってパネルシャーシ４及びベゼル５が固定部材３に固定される。
【００５０】
更に、フレーム６の外壁板部６１はベゼル５のカバー板部５１を覆っている。従って、カバー板部５１及び対向板部４１を固定板部３９に固定するネジがユーザには視認されず、見栄えが悪くなることを防止できる。
【００５１】
一方、当接板部３８には、長手方向において、第１固定孔３２と同一位置に、フレーム６（扁平板部６２）を固定するための第２固定孔３６が形成されている。
また、上述したように、フレーム６の扁平板部６２には固定部材３が載置されるので、固定部材３の当接板部３８の裏面が扁平板部６２の前記表面と接する。扁平板部６２においては、固定部材３の取り付け済みの時に、第２固定孔３６に対応する位置に第２貫通孔６４が形成されている。第２貫通孔６４は第２固定孔３６に倣う形状を有している。
【００５２】
従って、図９及び図６に示すように、扁平板部６２の裏側からネジＳを第２貫通孔６４に挿入させて第２固定孔３６にてネジ止めすることによって、扁平板部６２を当接板部３８に固定できる。これによってフレーム６が固定部材３に固定される。
【００５３】
このように、本実施の形態に係るテレビジョン受像機１においては、パネルシャーシ４、ベゼル５、フレーム６が固定部材３に固定されている。従って、固定部材３の位置を調整するのみで、パネルシャーシ４、ベゼル５及びフレーム６の位置を共に合わせることができ、作業者の手間を軽減できる。
【００５４】
また、固定板部３９の端部には、パネルシャーシ４の介在板部４２が載置される載置部３７か、例えば２箇所に設けられている。載置部３７は当接板部３８と略平行をなしており、固定板部３９より小さい矩形である。載置部３７の表面は介在板部４２の裏面と当接する。従って、載置部３７は、テレビジョン受像機１の組み立て時において、パネルシャーシ４（介在板部４２）の位置決め部、又は、光学シート７とのスペーサとしての役割をなす。
【００５５】
固定部材３の他端側においては、当接板部３８の前記表面に円筒形状の仮固定部３３が設けられている。仮固定部３３は、固定部材３の取り付けの際に、固定部材３を一時的にバックライトシャーシ１０へ固定させる。
バックライトシャーシ１０の縁板部１１においては、固定部材３の取り付け済みの時に、仮固定部３３に対応する位置に貫通孔Ｈが形成されている。貫通孔Ｈは仮固定部３３に倣う円形状を有している。
【００５６】
固定部材３の取り付けの際に、作業者は、先ず仮固定部３３をバックライトシャーシ１０の貫通孔Ｈにはめ込む。これによって、バックライトシャーシ１０に対する固定部材３の位置決め及び仮固定は完了する。以降、作業者は仮固定部３３を回転軸として固定部材３を回転させて、係合部３１及び突起３１４をバックライトシャーシ１０の縁板部１１及び凹部１１１に夫々係合させれば良い。これによって、固定部材３の取り付け作業を容易にすることができる。
【００５７】
更に、上述の如く、固定部材３が弾性を有する材料からなるので、テレビジョン受像機１の組み立て過程において、固定部材３をある程度変形させることができる。従って、パネルシャーシ４、ベゼル５、フレーム６等の部品における設計誤差等を吸収・軽減できる。
【００５８】
以上においては、テレビジョン受像機１がいわゆる直下型である場合を例に挙げて説明したが、本実施の形態に係るテレビジョン受像機１はこれに限るものでなく、いわゆるエッジ型であっても良い。
【００５９】
本開示の実施態様１においては、光学シート７の縁部を覆う第１枠体４と、表示パネル２の縁部及び第１枠体４を覆うベゼル５と、ベゼル５を部分的に覆う第２枠体６とを備える表示装置１において、第１枠体４に覆われ、第１枠体４、ベゼル５及び第２枠体６を共に固定する固定部材３を備えることを特徴とする。
【００６０】
本実施形態によれば、前記第１枠体、前記ベゼル及び前記第２枠体が前記固定部材によって共に固定されるので、前記第１枠体、前記ベゼル及び前記第２枠体の位置決め及び調整が容易であり、かつ前記表示装置の構成が簡素になる。
【００６１】
本開示の実施態様２においては、光を光学シート７側に反射する反射シート９の縁部を支持する第３枠体１０を備え、固定部材３は、第３枠体１０の縁部に係合する係合部３１を有することを特徴とする。
【００６２】
本実施形態によれば、前記固定部材は、前記係合部が前記第３枠体の縁部と係合することによって前記第３枠体に固定され、前記固定部材によって、前記第１枠体、前記ベゼル及び前記第２枠体が共に固定される。従って、前記第１枠体、前記ベゼル及び前記第２枠体の位置決め及び調整が容易であり、かつ前記表示装置の構成が簡素になる。
【００６３】
本開示の実施態様３においては、固定部材３の係合部３１は、第３枠体１０との係合のための突起３１４を有し、第３枠体１０は突起３１４に対応する凹部１１１を有することを特徴とする。
【００６４】
本実施形態によれば、前記固定部材の前記係合部が前記第３枠体の縁部と係合する際、
前記突起も前記第３枠体の前記凹部との係合を行う。従って、前記第３枠体への前記固定部材の固定及び位置決めが適確になる。
【００６５】
本開示の実施態様４においては、反射シート９は縁部に貫通孔９１１を有しており、固定部材３は、反射シート９の貫通孔９１１に対応する第１突出部３４を有することを特徴とする。
【００６６】
本実施形態によれば、前記固定部材が、前記反射シートの前記貫通孔に対応する前記第１突出部を有するので、前記表示装置の組み立ての際、前記反射シートの前記貫通孔を前記固定部材の前記第１突出部に嵌めることによって、前記反射シートの位置決めが容易、且つ確実にできる。
【００６７】
本開示の実施態様５においては、第２枠体６は、表示パネル２の縁部と対向する扁平部６２を有し、扁平部６２は第１貫通孔６３を有し、固定部材３は扁平部６２の第１貫通孔６３に対応する第２突出部３１２を有することを特徴とする。
【００６８】
本実施形態によれば、前記固定部材は前記第２枠体の前記扁平部の前記第１貫通孔に対応する前記第２突出部を有し、前記表示装置の組み立ての際、前記第２枠体の前記第１貫通孔を前記固定部材の前記第２突出部に嵌めることによって、前記第２枠体の位置決めが容易、且つ確実にできる。
【００６９】
本開示の実施態様６においては、第１枠体４は光学シート７の側面と対向する対向板部４１を有し、ベゼル５は第１枠体４の対向板部４１を覆うカバー板部５１を有しており、固定部材３は第１枠体４の対向板部４１と対向する固定板部３９を有し、固定板部３９は第１枠体４の対向板部４１及びベゼル５のカバー板部５１を固定するための第１固定孔３２を有し、第１枠体４の対向板部４１及びベゼル５のカバー板部５１は第１固定孔３２に対応する固定貫通孔４３，５３を有することを特徴とする。
【００７０】
本実施形態によれば、前記固定部材の前記固定板部には、前記第１固定孔が形成されている。前記表示装置の組み立ての際、例えばネジを前記第１枠体の前記対向板部の前記固定貫通孔及び前記ベゼルの前記カバー板部の前記固定貫通孔に挿入して前記固定板部の前記第１固定孔にてネジ止めすることによって、前記第１枠体及び前記ベゼルを前記固定部材に固定する。従って、前記第１枠体及び前記ベゼルが一つの部材（固定部材）に固定されるので、部品点数を減らし、簡素な構成にすることができ、且つ前記固定部材のみを調整することによって、前記第１枠体及び前記ベゼルの位置を共に調整できる。
【００７１】
本開示の実施態様７においては、第１枠体４は、表示パネル２の縁部及び光学シート７の縁部の間に介在する介在板部４２を有し、固定部材３は、固定板部３９の端部に、第１枠体４の介在板部４２が載置される載置部３７を有することを特徴とする。
【００７２】
本実施形態によれば、前記固定部材は、前記固定板部の端部に、前記載置部が形成されている。前記載置部に前記第１枠体の前記介在板部が載置させることによって、前記固定部材はスペーサとしての役割をなす。
【００７３】
本開示の実施態様８においては、固定部材３は第２枠体６の扁平部６２と対向する平面部３８を有し、固定部材３の平面部３８は第２枠体６の扁平部６２を固定するための第２固定孔３６を有し、第２枠体６の扁平部６２は第２固定孔３６に対応する第２貫通孔６４を有することを特徴とする。
【００７４】
本実施形態によれば、前記固定部材の前記平面部には前記第２固定孔が形成されている。前記表示装置の組み立ての際、例えばネジを前記第２枠体の前記第２貫通孔に挿入して前記固定板部の前記第２固定孔にてネジ止めすることによって、前記第２枠体を前記固定部材に固定する。従って、前記第１枠体及び前記ベゼルに加えて、前記第２枠体も一つの部材（固定部材）に固定されるので、部品点数を減らし、簡素な構成にすることができ、且つ前記固定部材のみを調整することによって、前記第１枠体、前記ベゼル及び前記第２枠体の位置を共に調整できる。
【００７５】
本開示の実施態様９においては、固定部材３は弾性を有することを特徴とする。
【００７６】
本実施形態によれば、固定部材３は弾性を有するので、前記表示装置の組み立て過程においてある程度の変形が可能である。従って、前記第１枠体、前記ベゼル及び前記第２枠体における設計誤差を吸収できる。
【００７７】
本開示の実施態様１０においては、上述の実施形態に係る表示装置１と、テレビジョン放送を受信する受信部４０とを備え、前記受信部４０で受信したテレビジョン放送に基づいて前記表示パネル２に画像を表示するようにしてあることを特徴する。
【００７８】
本実施形態によれば、上述の表示装置１を用いることにより、各部材の調整が容易であり、より簡素な構成を有するテレビジョン受像機を提供することができる。
【符号の説明】
【００７９】
１  テレビジョン受像機
２  表示パネル
３  固定部材
４  パネルシャーシ
５  ベゼル
６  フレーム
７  光学シート
９  反射シート
１０  バックライトシャーシ
１１  縁板部
３１  係合部
３２  第１固定孔
３４  表側突出部（第１突出部）
３６  第２固定孔
３７  載置部
３８  当接板部（平面部）
３９  固定板部
４１  対向板部
４２  介在板部
４３  固定貫通孔
５１  カバー板部
５３  固定貫通孔
６２  扁平板部
６３  第１貫通孔
６４  第２貫通孔
１１１  凹部
３１２  裏側突出部（第２突出部）
３１４  突起
９１１  貫通孔
【図１】
2019144305.tif 000003
【図２】
2019144305.tif 000004
【図３】
2019144305.tif 000005
【図４】
2019144305.tif 000006
【図５】
2019144305.tif 000007
【図６】
2019144305.tif 000008
【図７】
2019144305.tif 000009
【図８】
2019144305.tif 000010
【図９】
2019144305.tif 000011